(57)【要約】【課題】表紙を閉じた状態に保つためのベルトにずれが発生せず、かつ他のファイルなどに引っ掛かるなどの問題が発生しないファイルを得る。【解決手段】ファイル１０は、表表紙１２と裏表紙１４とを含む。表表紙１２と裏表紙１４とをリベットなどで固定し、固定部分にレール１８を取り付ける。表表紙１２に、窓部２０および凹部２２を形成し、その部分を通るようにして、裏表紙１４側から表表紙１２側に向かってベルト２６を掛け渡す。窓部２０部分に形成された凸状部２２の下にベルト２６を入れ、凸状部２２でベルト２６の幅方向の両側を押さえる。【選択図】　　　図１
2004034622.tif 000002
【特許請求の範囲】
【請求項１】
２枚の板状の表紙と、前記２枚の表紙が閉じた状態で前記２枚の表紙を束ねるためのベルトとを含み、
前記表紙に前記ベルトを嵌め込むための窓部が形成された、ファイル。
【請求項２】
前記表紙の前記窓部が形成された部分において、前記窓部に嵌め込まれた前記ベルトの幅方向の両側から互いに近づくように突出する凸状部が前記表紙に形成された、請求項１に記載のファイル。
【請求項３】
前記窓部に対応する前記表紙の対向端部において、前記ベルトの幅以上の幅で形成される凹部を含む、請求項１または請求項２に記載のファイル。
【発明の詳細な説明】
【０００１】
【発明の属する技術分野】
この発明は、ファイルに関し、特に、たとえば２枚の表紙の間に複数の透明ポケットが綴じ込まれたファイルに関する。
【０００２】
【従来の技術】
図２０は、従来のファイルの一例を示す斜視図である。ファイル１は、表表紙２および裏表紙３を含む。表表紙２および裏表紙３の間には、たとえば複数の透明ポケット４が綴じ込まれる。表表紙２、裏表紙３および透明ポケット４の一端側が固定され、断面Ｃ字状のレール５で固定部分が挟み込まれる。したがって、レール５の反対側において、表表紙２を開くことができ、透明ポケット４に書類などを収納することができる。
【０００３】
このようなファイル１が閉じられているとき、表紙２，３が不用意に開かないように、ゴムなどの伸縮可能な材料で形成されたベルト６が取り付けられる。ベルト６の両端部は裏表紙３に固定され、表表紙２と裏表紙３とが閉じた状態で、ベルト６が表表紙２の外側を通るように、裏表紙３側から表表紙２側にベルト６が掛け渡される。このようにすることにより、表表紙２と裏表紙３とが閉じた状態が保持され、不用意に表表紙２や裏表紙３が開くことを防止することができる。
【０００４】
【発明が解決しようとする課題】
しかしながら、このようなファイル１では、書庫などにファイル１を収納するとき、隣のファイルなどと擦れ合って、ベルト６がずれてしまう場合がある。このようなベルト６のずれを防止するために、たとえば図２１に示すように、表表紙２に２つの突起７を形成し、これらの突起７の間にベルト６を通すようにしたものがある。しかしながら、突起７を形成する場合、ファイル１を書庫などに収納するときに、隣のファイルに突起７が引っ掛かるなどの不都合がある。
【０００５】
それゆえに、この発明の主たる目的は、表紙を閉じた状態に保つためのベルトにずれが発生せず、かつ他のファイルなどに引っ掛かるなどの問題が発生しないファイルを提供することである。
【０００６】
【課題を解決するための手段】
この発明は、２枚の板状の表紙と、２枚の表紙が閉じた状態で２枚の表紙を束ねるためのベルトとを含み、表紙にベルトを嵌め込むための窓部が形成された、ファイルである。
このようなファイルにおいて、表紙の窓部が形成された部分において、窓部に嵌め込まれたベルトの幅方向の両側から互いに近づくように突出する凸状部が表紙に形成される。
また、窓部に対応する表紙の対向端部において、ベルトの幅以上の幅で凹部が形成されてもよい。
【０００７】
ファイルの表紙に窓部を形成することにより、ベルトが窓部に嵌め込まれて保持され、ベルトのずれを防止することができる。また、ベルトを保持するために、窓部が用いられているため、ファイルを収納する際に、隣のファイルなどに引っ掛かる突起が存在しない。
また、窓部が形成された部分において、表紙にベルトの幅方向の両側から互いに近づくような凸状部を形成することにより、この凸状部がベルトの幅方向の両端部を押さえ、ベルトが窓部から外れにくくなる。
さらに、窓部に対応する表紙の対向端部に凹部を形成することにより、窓部にベルトを嵌め込むと同時に、凹部にベルトを通すことができ、表紙の端部におけるベルトのずれを防止することができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１はこの発明のファイルの一例を示す斜視図であり、図２〜図６は、それぞれ正面図、背面図、左側面図、右側面図、平面図である。ファイル１０は、２枚の表紙を含み、それぞれ表表紙１２および裏表紙１４を構成する。表表紙１２および裏表紙１４は、合成樹脂などを用いて、長方形状に形成される。表表紙１２および裏表紙１４の間には、図７に示すように、たとえば複数枚の透明ポケット１６が挟み込まれる。この状態で、表表紙１２、裏表紙１４および透明ポケット１６の幅方向の一端側が、リベットなどによって固定される。そして、リベットで固定された部分が隠れるように、断面Ｃ字状のレール１８が表表紙１２、裏表紙１４および透明ポケット１６の一端を覆うようにして取り付けられる。
【００１０】
レール１８は、たとえばポリプロピレンなどで形成され、その側面が熱可塑性エラストマーなどの弾性を有する材料で被覆される。この側面部分には、長手方向に延びる複数の溝が形成され、ファイル１０を持つときに、手触りのよさと滑り止めの効果を得ることができる。なお、レール１８は必ずしも必要ではなく、たとえば背表紙を介して表表紙１２と裏表紙１４とが連続して形成され、背表紙の両側を折り曲げて、表表紙１２と裏表紙１４とが重なるようにしてもよい。
【００１１】
表表紙１２の幅方向の一端側において、レール１８に沿って、たとえばヒンジ部を形成することができ、ヒンジ部によって表表紙１２が開きやすいようにすることができる。ヒンジ部は、表表紙１２を線状に加熱したり、トムソン刃を押し当てることにより、表表紙１２を折り曲げ可能に凹ませたものである。さらに、表表紙１２には、レール１８の反対側の端部近傍に、窓部２０が形成される。窓部２０は、略長方形状に形成される。そして、長方形の長辺がレール１８に沿うように、窓部２０が配置される。窓部２０形成部においては、窓部２０の幅方向の両側から、互いに近づくようにして凸状部２２が形成される。さらに、表表紙１２の長手方向の両端部には、凹部２４が形成される。凹部２４は、窓部２０に対応する位置に形成される。したがって、２つの凹部２４と窓部２０とが、レール１８に沿って一直線状に配置される。
【００１２】
裏表紙１４には、表表紙１２と同様に、たとえばヒンジ部を形成することができ、裏表紙１４が折り曲げ可能に形成される。さらに、裏表紙１４には、ゴムなどの伸縮可能な材料で形成されたベルト２６が取り付けられる。ベルト２６は、表表紙１２の凹部２４および窓部２０を結ぶ線に対応する位置に取り付けられる。そのため、たとえば、裏表紙１４に２つの長方形状の貫通孔２８が形成され、これらの貫通孔２８にベルト２６を通して、貫通孔２８より長い係止部材３０によってベルト２６が抜けないように係止される。ベルト２６の幅は、表表紙１２の窓部２０および凹部２４の幅より若干小さく形成され、かつ２つの凸状部２２の間の間隔より大きく形成される。
【００１３】
このファイル１０では、透明ポケット１６に書類や写真などを入れて、保管や持ち運びを行うことができる。そして、図１に示すように、裏表紙１４側から表表紙１２側にベルト２６を掛け渡すことにより、ファイル１０を閉じた状態で保持することができる。このとき、ベルト２６は、表表紙１２の２つの凹部２４に嵌め込まれるとともに、窓部２０にも嵌め込まれる。そして、窓部２０内において、対向する凸状部２２の下にベルト２６が配置される。したがって、ベルト２６は、凸状部２２で幅方向の両端部が押さえられた状態で、窓部２０内に保持される。
【００１４】
このファイル１０では、表表紙１２と裏表紙１４とを閉じた状態でベルト２６が掛け渡されるため、不用意に表紙が開くことを防止することができる。さらに、ベルト２６が表表紙１２の窓部２０および凹部２２に嵌り込んでいるため、書庫などに収納するとき、隣のファイルに当たってもベルト２６がずれたりしない。しかも、窓部２０部分においては、ベルト２６の幅方向の両端が凸状部２２で押さえられているため、ベルト２６のずれを効果的に防止することができる。なお、ベルト２６は伸縮可能な材料で形成されているため、ファイル１０を開くときには、ベルト２６を表表紙１２の面から離す方向に引っ張ることにより、凸状部２２からベルト２６を外すことができる。
【００１５】
また、このファイル１０では、ベルト２６のずれを防止するために、表表紙１２に突起などが形成されていないため、ファイル１０を書庫などに収納する際に、他のファイルに突起が引っ掛かったりしない。したがって、ファイル１０の収納を容易に行うことができる。なお、図８〜図１９に、この発明のファイル１０を示す各図を示す。
【００１６】
【発明の効果】この発明によれば、ベルトによって、表紙が開かないように保持することができる。このとき、表表紙に窓部や凹部を形成し、ベルトを嵌め込むことにより、ベルトがずれることを防止することができる。さらに、窓部が形成された部分に、対向する凸状部を形成することにより、これらの凸状部の下にベルトを入れて保持することができ、効果的にベルトのずれを防止することができる。しかも、表紙から突出する突起などは形成されていないため、表紙が他のファイルに引っ掛かることもない。
【図面の簡単な説明】
【図１】この発明のファイルの一例を示す斜視図である。
【図２】図１に示すファイルの正面図である。
【図３】図１に示すファイルの背面図である。
【図４】図１に示すファイルの左側面図である。
【図５】図１に示すファイルの右側面図である。
【図６】図１に示すファイルの平面図である。
【図７】図１に示すファイルを開いた上体を示す斜視図である。
【図８】この発明のファイルを示す正面図である。
【図９】この発明のファイルを示す背面図である。
【図１０】この発明のファイルを示す左側面図である。
【図１１】この発明のファイルを示す右側面図である。
【図１２】この発明のファイルを示す平面図である。
【図１３】図１２のＥ−Ｅ部拡大図である。
【図１４】図１０のＡ−Ａ部拡大図である。
【図１５】図１０のＢ−Ｂ部拡大図である。
【図１６】図１１のＣ−Ｃ部拡大図である。
【図１７】図１１のＤ−Ｄ部拡大図である。
【図１８】図１２のＦ−Ｆ部拡大図である。
【図１９】図１３のＧ−Ｇ部拡大図である。
【図２０】従来のファイルの一例を示す斜視図である。
【図２１】従来のファイルの他の例を示す斜視図である。
【符号の説明】
１０　ファイル
１２　表表紙
１４　裏表紙
１６　透明ポケット
１８　レール
２０　窓部
２２　凸状部
２４　凹部
２６　ベルト
【図１】
2004034622.tif 000003
【図２】
2004034622.tif 000004
【図３】
2004034622.tif 000005
【図４】
2004034622.tif 000006
【図５】
2004034622.tif 000007
【図６】
2004034622.tif 000008
【図７】
2004034622.tif 000009
【図８】
2004034622.tif 000010
【図９】
2004034622.tif 000011
【図１０】
2004034622.tif 000012
【図１１】
2004034622.tif 000013
【図１２】
2004034622.tif 000014
【図１３】
2004034622.tif 000015
【図１４】
2004034622.tif 000016
【図１５】
2004034622.tif 000017
【図１６】
2004034622.tif 000018
【図１７】
2004034622.tif 000019
【図１８】
2004034622.tif 000020
【図１９】
2004034622.tif 000021
【図２０】
2004034622.tif 000022
【図２１】
2004034622.tif 000023